【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
式：
【化１】
2011514399.tif 000001
［式中、
Ｍ１は：
【化２】
2011514399.tif 000002
から選択される場合により置換されるナフタレンイミドであり；
ここで：
Ｒ１は、各場合において、Ｈ、Ｃ１−４０アルキル基、Ｃ２−４０アルケニル基、Ｃ１−４０ハロアルキル基、及び１〜４個の環状部分から独立して選択され、
ここで：
Ｃ１−４０アルキル基、Ｃ２−４０アルケニル基及びＣ１−４０ハロアルキル基の各々は、ハロゲン、−ＣＮ、ＮＯ２、ＯＨ、−ＮＨ２、−ＮＨ（Ｃ１−２０アルキル）、−Ｎ（Ｃ１−２０アルキル）２、−Ｓ（Ｏ）２ＯＨ、
−ＣＨＯ、−Ｃ（Ｏ）−Ｃ１−２０アルキル、−Ｃ（Ｏ）ＯＨ、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＯＣ１−２０アルキル、−ＳｉＨ３、−ＳｉＨ（Ｃ１−２０アルキル）２、−ＳｉＨ２（Ｃ１−２０アルキル）及び−Ｓｉ（Ｃ１−２０アルキル）３から独立して選択される１〜１０個の置換基で場合により置換されてよく；
Ｃ１−４０アルキル基、Ｃ２−４０アルケニル基及びＣ１−４０ハロアルキル基の各々は、任意のリンカーを介してイミド窒素原子に共有結合してよく；且つ
１〜４個の環状部分の各々は、同一又は異なってよく、任意のリンカーを介して互いに又はイミド窒素に共有結合してよく、ハロゲン、オキソ、−ＣＮ、ＮＯ２、ＯＨ、＝Ｃ（ＣＮ）２、−ＮＨ２、−ＮＨ（Ｃ１−２０アルキル）、−Ｎ（Ｃ１−２０アルキル）２、−Ｓ（Ｏ）２ＯＨ、−ＣＨＯ、−Ｃ（Ｏ）ＯＨ、−Ｃ（Ｏ）−Ｃ１−２０アルキル、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＳｉＨ３、−ＳｉＨ（Ｃ１−２０アルキル）２、
−ＳｉＨ２（Ｃ１−２０アルキル）、−Ｓｉ（Ｃ１−２０アルキル）３、−Ｏ−Ｃ１−２０アルキル、−Ｏ−Ｃ１−２０アルケニル、−Ｏ−Ｃ１−２０ハロアルキル、Ｃ１−２０アルキル基、Ｃ１−２０アルケニル基及びＣ１−２０ハロアルキル基から独立して選択される１〜５個の置換基で場合により置換されてよく；
Ｒ５は、Ｒ１と定義され；
Ｒ６及びＲ７は、Ｈ、電子求引性基、及び場合により１〜５個の電子求引性基で置換されるＣ１−４０アルキル基から独立して選択され；
Ｍ２は、１個以上の単環状部分を含む反復単位であり；且つ
ｎは、２〜５，０００の間の整数である］のポリマー。
【請求項２】
Ｍ１が：
【化３】
2011514399.tif 000003
［式中、Ｒ１、Ｒ５、Ｒ６及びＲ７は、請求項１に定義される通りである］から選択される、請求項１に記載のポリマー。
【請求項３】
Ｍ２が：
【化４】
2011514399.tif 000004
［式中、
π−２は、１〜６個のＲｅ基で場合により置換される多環状部分であり；
Ａｒは、各場合において、独立して５又は６員環アリール基又はヘテロアリール基であり、ここでこれらの基の各々は、１〜６個のＲｅ基で場合により置換され；
ここで：
Ｒｅは、各場合において、独立して、ａ）ハロゲン、ｂ）−ＣＮ、ｃ）−ＮＯ２、ｄ）オキソ、ｅ）−ＯＨ、ｆ）＝Ｃ（Ｒｆ）２、ｇ）Ｃ１−４０アルキル基、ｈ）Ｃ２−４０アルケニル基、ｉ）Ｃ２−４０アルキニル基、ｊ）Ｃ１−４０アルコキシ基、ｋ）Ｃ１−４０アルキルチオ基、ｌ）Ｃ１−４０ハロアルキル基、ｍ）−Ｙ−Ｃ３−１０シクロアルキル基、ｎ）−Ｙ−Ｃ６−１４アリール基、ｏ）−Ｙ−Ｃ６−１４ハロアリール基、ｐ）−Ｙ−３〜１２員環シクロヘテロアルキル基、又はｑ）−Ｙ−５〜１４員環ヘテロアリール基であり、ここでＣ１−４０アルキル基、Ｃ２−４０アルケニル基、Ｃ２−４０アルキニル基、Ｃ３−１０シクロアルキル基、Ｃ６−１４アリール基、Ｃ６−１４ハロアリール基、３〜１２員環シクロヘテロアルキル基及び５〜１４員環ヘテロアリール基の各々は、１〜４個のＲｆ基で場合により置換され；
Ｒｆは、各場合において、独立して、ａ）ハロゲン、ｂ）−ＣＮ、ｃ）−ＮＯ２、ｄ）オキソ、ｅ）−ＯＨ、ｆ）−ＮＨ２、ｇ）−ＮＨ（Ｃ１−２０アルキル）、ｈ）−Ｎ（Ｃ１−２０アルキル）２、ｉ）−Ｎ（Ｃ１−２０アルキル）−Ｃ６−１４アリール、ｊ）−Ｎ（Ｃ６−１４アリール）２、ｋ）−Ｓ（Ｏ）ｗＨ、ｌ）−Ｓ（Ｏ）ｗ−Ｃ１−２０アルキル、ｍ）−Ｓ（Ｏ）２ＯＨ、ｎ）−Ｓ（Ｏ）ｗ−ＯＣ１−２０アルキル、ｏ）−Ｓ（Ｏ）ｗ−ＯＣ６−１４アリール、ｐ）−ＣＨＯ、ｑ）−Ｃ（Ｏ）−Ｃ１−２０アルキル、ｒ）−Ｃ（Ｏ）−Ｃ６−１４アリール、ｓ）−Ｃ（Ｏ）ＯＨ、ｔ）−Ｃ（Ｏ）−ＯＣ１−２０アルキル、ｕ）−Ｃ（Ｏ）−ＯＣ６−１４アリール、ｖ）−Ｃ（Ｏ）ＮＨ２、ｗ）−Ｃ（Ｏ）ＮＨ−Ｃ１−２０アルキル、ｘ）−Ｃ（Ｏ）Ｎ（Ｃ１−２０アルキル）２、ｙ）−Ｃ（Ｏ）ＮＨ−Ｃ６−１４アリール、ｚ）−Ｃ（Ｏ）Ｎ（Ｃ１−２０アルキル）−Ｃ６−１４アリール、ａａ）−Ｃ（Ｏ）Ｎ（Ｃ６−１４アリール）２、ａｂ）−Ｃ（Ｓ）ＮＨ２、ａｃ）−Ｃ（Ｓ）ＮＨ−Ｃ１−２０アルキル、ａｄ）−Ｃ（Ｓ）Ｎ（Ｃ１−２０アルキル）２、ａｅ）−Ｃ（Ｓ）Ｎ（Ｃ６−１４アリール）２、ａｆ）−Ｃ（Ｓ）Ｎ（Ｃ１−２０アルキル）−Ｃ６−１４アリール、ａｇ）−Ｃ（Ｓ）ＮＨ−Ｃ６−１４アリール、ａｈ）−Ｓ（Ｏ）ｗＮＨ２、ａｉ）−Ｓ（Ｏ）ｗＮＨ（Ｃ１−２０アルキル）、ａｊ）−Ｓ（Ｏ）ｗＮ（Ｃ１−２０アルキル）２、ａｋ）−Ｓ（Ｏ）ｗＮＨ（Ｃ６−１４アリール）、ａｌ）−Ｓ（Ｏ）ｗＮ（Ｃ１−２０アルキル）−Ｃ６−１４アリール、ａｍ）−Ｓ（Ｏ）ｗＮ（Ｃ６−１４アリール）２、ａｎ）−ＳｉＨ３、ａｏ）−ＳｉＨ（Ｃ１−２０アルキル）２、ａｐ）−ＳｉＨ２（Ｃ１−２０アルキル）、ａｑ）−Ｓｉ（Ｃ１−２０アルキル）３、ａｒ）Ｃ１−２０アルキル基、ａｓ）Ｃ２−２０アルケニル基、ａｔ）Ｃ２−２０アルキニル基、ａｕ）Ｃ１−２０アルコキシ基、ａｖ）Ｃ１−２０アルキルチオ基、ａｗ）Ｃ１−２０ハロアルキル基、ａｘ）Ｃ３−１０シクロアルキル基、ａｙ）Ｃ６−１４アリール基、ａｚ）Ｃ６−１４ハロアリール基、ｂａ）３〜１２員環シクロヘテロアルキル基、又はｂｂ）５〜１４員環ヘテロアリール基であり；
Ｙは、各場合において、二価のＣ１−６アルキル基、二価のＣ１−６ハロアルキル基及び共有結合から独立して選択され；且つ
ｗは、０、１又は２であり；
Ｚは、共役直鎖状リンカーであり；且つ
ｍ、ｍ’及びｍ’’は、独立して１、２、３又は４である］から選択される、請求項１又は２に記載のポリマー。
【請求項４】
Ｒ１及びＲ５が、Ｈ、Ｃ１−４０アルキル基、Ｃ２−４０アルケニル基、Ｃ２−４０アルキニル基、Ｃ１−４０ハロアルキル基、−Ｌ−Ｒａ、−Ｌ−Ａｒ１、−Ｌ−Ａｒ１−Ａｒ１、−Ｌ−Ａｒ１−Ｒａ、−Ｌ−Ａｒ１−Ａｒ１−Ｒａ、−Ｌ−Ｃｙ１、−Ｌ−Ｃｙ１−Ｃｙ１、−Ｌ−Ｃｙ１−Ｒａ及び−Ｌ−Ｃｙ１−Ｃｙ１−Ｒａから選択され；
ここで：
Ｌは、各場合において、−Ｙ−Ｏ−Ｙ−、−Ｙ−［Ｓ（Ｏ）ｗ］−Ｙ−、
−Ｙ−Ｃ（Ｏ）−Ｙ−、−Ｙ−［ＮＲｃＣ（Ｏ）］−Ｙ−、−Ｙ−［Ｃ（Ｏ）ＮＲｃ］−、−Ｙ−ＮＲｃ−、−Ｙ−［ＳｉＲｃ２］−Ｙ−、二価のＣ１−２０アルキル基、二価のＣ１−２０アルケニル基、二価のＣ１−２０ハロアルキル基及び共有結合から独立して選択され；
Ａｒ１は、各場合において、独立して一価又は二価のＣ６−１４アリール基又は５〜１４員環ヘテロアリール基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｃｙ１は、各場合において、独立して一価又は二価のＣ３−１４シクロアルキル基又は３〜１４員環シクロヘテロアルキル基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；且つ
Ｒａは、各場合において、Ｃ１−４０アルキル基、Ｃ２−４０アルケニル基、Ｃ２−４０アルキニル基、Ｃ１−４０ハロアルキル基、Ｃ１−４０アルコキシ基、−Ｌ’−Ｒｂ、−Ｌ’−Ａｒ２、−Ｌ’−Ａｒ２−Ａｒ２、−Ｌ’−Ａｒ２−Ｒｂ、−Ｌ’−Ａｒ２−Ａｒ２−Ｒｂ、−Ｌ’−Ｃｙ２、−Ｌ’−Ｃｙ２−Ｃｙ２、−Ｌ’−Ｃｙ２−Ｒｂ、−Ｌ’−Ｃｙ２−Ｃｙ２−Ｒｂから独立して選択され；
ここで：
Ｌ’は、各場合において、−Ｙ−Ｏ−Ｙ−、−Ｙ−［Ｓ（Ｏ）ｗ］−Ｙ−、−Ｙ−Ｃ（Ｏ）−Ｙ−、−Ｙ−［ＮＲｃＣ（Ｏ）］−Ｙ−、−Ｙ−［Ｃ（Ｏ）ＮＲｃ］−、−Ｙ−ＮＲｃ−、−Ｙ−［ＳｉＲｃ２］−Ｙ−、二価のＣ１−２０アルキル基、二価のＣ１−２０アルケニル基、二価のＣ１−２０ハロアルキル基及び共有結合から独立して選択され；
Ａｒ２は、各場合において、独立して一価又は二価のＣ６−１４アリール基又は５〜１４員環ヘテロアリール基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｃｙ２は、各場合において、独立して一価又は二価のＣ３−１４シクロアルキル基又は３〜１４員環シクロヘテロアルキル基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｒｂは、各場合において、Ｃ１−４０アルキル基、Ｃ２−４０アルケニル基、Ｃ２−４０アルキニル基、Ｃ１−４０ハロアルキル基及びＣ１−４０アルコキシ基から独立して選択され；
Ｒｃは、各場合において、Ｈ、Ｃ１−６アルキル基及び−Ｙ−Ｃ６−１４アリール基から独立して選択され；
Ｙは、各場合において、二価のＣ１−６アルキル基、二価のＣ１−６ハロアルキル基及び共有結合から独立して選択され；且つ
ｗは、０、１又は２である、請求項１から３までのいずれか１項に記載のポリマー。
【請求項５】
Ｒ１及びＲ５が：
【化５】
2011514399.tif 000005
【化６】
2011514399.tif 000006
から選択される、請求項１から４までのいずれか１項に記載のポリマー。
【請求項６】
Ｒ１及びＲ５が、分枝鎖状Ｃ３−４０アルキル基又は分枝鎖状Ｃ３−４０アルケニル基から選択されるか、又は
Ｒ１及びＲ５が、
【化７】
2011514399.tif 000007
から選択される、請求項１から４までのいずれか１項に記載のポリマー。
【請求項７】
Ｒ６及びＲ７が、Ｈ、ハロゲン、−ＣＮ及びＣ１−１０ハロアルキル基から独立して選択される、請求項１から６までのいずれか１項に記載のポリマー。
【請求項８】
Ａｒが、各場合において、独立して：
【化８】
2011514399.tif 000008
［式中、
ａ、ｂ、ｃ及びｄは、−Ｓ−、−Ｏ−、−ＣＨ＝、＝ＣＨ−、−ＣＲ３＝、
＝ＣＲ３−、−Ｃ（Ｏ）−、−Ｃ（Ｃ（ＣＮ）２）−、−Ｎ＝、＝Ｎ−、−ＮＨ−及び−ＮＲ３−から独立して選択され；
Ｒ３は、各場合において、独立して、ａ）ハロゲン、ｂ）−ＣＮ、ｃ）−ＮＯ２、ｄ）−Ｎ（Ｒｃ）２、ｅ）−ＯＲｃ、ｆ）−Ｃ（Ｏ）Ｒｃ、ｇ）−Ｃ（Ｏ）ＯＲｃ、ｈ）−Ｃ（Ｏ）Ｎ（Ｒｃ）２、ｉ）Ｃ１−４０アルキル基、ｊ）Ｃ２−４０アルケニル基、ｋ）Ｃ２−４０アルキニル基、ｌ）Ｃ１−４０アルコキシ基、ｍ）Ｃ１−４０アルキルチオ基、ｎ）Ｃ１−４０ハロアルキル基、ｏ）−Ｙ−Ｃ３−１４シクロアルキル基、ｐ）−Ｙ−Ｃ６−１４アリール基、ｑ）−Ｙ−３〜１４員環シクロヘテロアルキル基、及びｒ）−Ｙ−５〜１４員環ヘテロアリール基から選択され、ここでＣ１−４０アルキル基、Ｃ２−４０アルケニル基、Ｃ２−４０アルキニル基、Ｃ３−１４シクロアルキル基、Ｃ６−１４アリール基、３〜１４員環シクロヘテロアルキル基及び５〜１４員環ヘテロアリール基の各々は、場合により１〜５個のＲｅ基で置換され；
Ｒｃは、各場合において、Ｈ、Ｃ１−６アルキル基及び−Ｙ−Ｃ６−１４アリール基から独立して選択され；
ここでＲｅ及びＹは、請求項３で定義される通りである］から選択される、請求項３から７までのいずれか１項に記載のポリマー。
【請求項９】
（Ａｒ）ｍ、（Ａｒ）ｍ’及び（Ａｒ）ｍ’’が：
【化９】
2011514399.tif 000009
［式中、Ｒ４は、各場合において、独立してＨ又はＲ３であり、Ｒ３は、請求項８に定義される通りである］から選択される、請求項８に記載のポリマー。
【請求項１０】
Ｍ２が：
【化１０】
2011514399.tif 000010
［式中、Ｒ３及びＲ４は、請求項８で定義される通りである］から選択される、請求項８又は９に記載のポリマー。
【請求項１１】
Ｚが：
【化１１】
2011514399.tif 000011
から選択される、請求項３から１０までのいずれか１項に記載のポリマー。
【請求項１２】
π−２が：
【化１２】
2011514399.tif 000012
［式中：
ｋ、ｋ’、ｌ及びｌ’は、−ＣＲ２＝、＝ＣＲ２−、−Ｃ（Ｏ）−及び−Ｃ（Ｃ（ＣＮ）２）−から独立して選択されてよく；
ｐ、ｐ’、ｑ及びｑ’は、−ＣＲ２＝、＝ＣＲ２−、−Ｃ（Ｏ）−、−Ｃ（Ｃ（ＣＮ）２）−、−Ｏ−、−Ｓ−、−Ｎ＝、＝Ｎ−、−Ｎ（Ｒ２）−、−ＳｉＲ２＝、＝ＳｉＲ２−及び−ＳｉＲ２Ｒ２−から独立して選択されてよく；
ｒ及びｓは、独立して−ＣＲ２Ｒ２−又は−Ｃ（Ｃ（ＣＮ）２）−であってよく；
ｕ、ｕ’、ｖ及びｖ’は、−ＣＲ２＝、＝ＣＲ２−、−Ｃ（Ｏ）−、−Ｃ（Ｃ（ＣＮ）２）−、−Ｓ−、−Ｓ（Ｏ）−、−Ｓ（Ｏ）２−、−Ｏ−、−Ｎ＝、＝Ｎ−、−ＳｉＲ２＝、＝ＳｉＲ２−、−ＳｉＲ２Ｒ２−、−ＣＲ２Ｒ２−ＣＲ２Ｒ２−及び−ＣＲ２＝ＣＲ２−から独立して選択されてよく；且つ
Ｒ２は、各場合において、独立してＨ又はＲｅであってよく、ここでＲｅは、請求項３に定義される通りである］から選択される場合により置換されるＣ８−２４アリール基又は８〜２４員環ヘテロアリール基である、請求項３から１１までのいずれか１項に記載のポリマー。
【請求項１３】
π−２が：
【化１３】
2011514399.tif 000013
［式中、Ｒ２は、Ｃ１−２０アルキル基、Ｃ１−２０アルコキシ基及びＣ１−２０ハロアルキル基から選択される］から選択される、請求項３から１２までのいずれか１項に記載のポリマー。
【請求項１４】
Ｍ２が、場合により１〜２個のＲ３基で置換される１個以上の５員環ヘテロアリール基を含み、ここでＲ３は、各場合において、ハロゲン、−ＣＮ、Ｃ１−２０アルキル基、Ｃ１−２０アルコキシ基及びＣ１−２０ハロアルキル基から独立して選択される、請求項１から１３までのいずれか１項に記載のポリマー。
【請求項１５】
Ｍ２が：
【化１４】
2011514399.tif 000014
［式中、
Ｒ２は、Ｃ１−２０アルキル基、Ｃ１−２０アルコキシ基及びＣ１−２０ハロアルキル基から選択され；
Ｒｃは、Ｃ１−６アルキル基であり；
Ｒ３は、各場合において、ハロゲン、−ＣＮ、Ｃ１−２０アルキル基、Ｃ１−２０アルコキシ基及びＣ１−２０ハロアルキル基から独立して選択され；且つ
Ｒ４は、各場合において、Ｈ、ハロゲン、−ＣＮ、Ｃ１−２０アルキル基、Ｃ１−２０アルコキシ基及びＣ１−２０ハロアルキル基から独立して選択される］から選択される、請求項１から１３までのいずれか１項に記載のポリマー。
【請求項１６】
ｎが、４〜１，０００の間の整数である、請求項１から１５までのいずれか１項に記載のポリマー。
【請求項１７】
式：
【化１５】
2011514399.tif 000015
【化１６】
2011514399.tif 000016
［式中、ｘは、実数及び０．５＜ｘ≦１であり、Ｒ１、Ｒ５、Ｒ６、Ｒ７、π−２、Ａｒ、Ｚ、ｍ、ｍ’及びｍ’’は、請求項３で定義される通りである］から選択される、請求項３に記載のポリマー。
【請求項１８】
請求項１から１７までのいずれか１項に記載の１種以上のポリマーを含む、電子素子、光学素子及び光電子素子からなる群から選択される製品。
【請求項１９】
前記製品が、請求項１から１７までのいずれか１項に記載の１種以上のポリマーを含む薄膜半導体である、請求項１８に記載の製品。
【請求項２０】
前記製品が、請求項１９に記載の薄膜半導体を含む電界効果トランジスタ素子である、請求項１８に記載の製品。
【請求項２１】
前記製品が、請求項１９に記載の薄膜半導体を含む光起電力素子である、請求項１８に記載の製品。
【請求項２２】
前記製品が、請求項１９に記載の薄膜半導体を含む有機発光素子である、請求項１８に記載の製品。